(57)【特許請求の範囲】
【請求項１】
マスターシリンダ、該マスターシリンダと結合するモータ、及び、該モータを制御するように構成される制御部を有する車両用制動システムの制御方法であって、
ＡＢＳ制御、ＶＤＣ制御およびＴＣＳ制御のうちのいずれか１つの実行条件が満足される場合に、前記制御部が各ホイールシリンダの目標圧力を生成するステップと、
前記ＡＢＳ制御が実行されず、かつ、前記ＶＤＣ制御または前記ＴＣＳ制御が実行されると判断された場合、前記制御部が、前記ホイールシリンダのうちの制御ホイールシリンダに対する増減圧が形成されるように、前記制御ホイールシリンダの入口側バルブをオープンし、かつ、前記制御ホイールシリンダを除いた残りのホイールシリンダの入口側バルブをクローズするステップと、
当該車両用制動システムの作動バルブから前記入口側バルブまでの油圧ラインを介して前記制御ホイールシリンダのホイールシリンダ圧力を前記制御部が感知するステップと、
前記制御ホイールシリンダの目標圧力と前記制御ホイールシリンダのホイールシリンダ圧力との圧力差に対応する圧力ゲインを前記制御部が検出するステップと、
前記制御部が、前記の検出された圧力ゲインに応じて、前記シリンダのピストンを移動させるように前記モータを制御して、前記制御ホイールシリンダのホイールシリンダ圧力が前記制御ホイールシリンダの目標圧力に追従するように、前記制御ホイールシリンダに対する増減圧の圧力制御を実行するステップと、
前記ＶＤＣ制御または前記ＴＣＳ制御を実行する過程で前記ＶＤＣ制御または前記ＴＣＳ制御の実行条件が解除される場合、前記制御部が、前記制御ホイールシリンダのすべての入口側バルブをオープンし、出口側バルブをクローズするステップを含むことを特徴とする、方法。
【請求項２】
前記圧力ゲインは、
従来型ブレーキシステム（ＣＢＳ）圧力制御時の全体所要液量に対する前記制御ホイールシリンダの所要液量の大きさに基づいて設定されることを特徴とする、請求項１に記載の方法。
【請求項３】
マスターシリンダ、該マスターシリンダと結合するモータ、及び、該モータを制御するように構成される制御部を有する車両用制動システムの制御方法であって、
前記制御部が前記車両の各ホイールシリンダの目標圧力を生成するステップと、
前記車両の挙動がＶＤＣ制御またはＴＣＳ制御の実行条件を満足する場合、前記制御部が、前記ホイールシリンダのうちの制御ホイールシリンダの入口側バルブをオープンし、かつ、前記制御ホイールシリンダを除いた残りのホイールシリンダの入口側バルブをクローズするステップと、
当該車両用制動システムの作動バルブから前記入口側バルブまでの油圧ラインを介して前記制御ホイールシリンダのホイールシリンダ圧力を前記制御部が感知するステップと、
前記制御ホイールの目標圧力と前記制御ホイールシリンダのホイールシリンダ圧力との圧力差に対応する圧力ゲインを前記制御部が検出するステップと、
前記制御ホイールのホイール圧力が前記制御ホイールシリンダの目標圧力を追従するように、前記制御部が前記モータを制御するステップと
前記制御部が、前記の検出された圧力ゲインに応じて、前記シリンダのピストンを移動させるように前記モータを制御して、前記制御ホイールシリンダのホイールシリンダ圧力が前記制御ホイールシリンダの目標圧力に追従するように、前記制御ホイールシリンダに対する増減圧の圧力制御を実行するステップと
前記ＶＤＣ制御または前記ＴＣＳ制御を実行する過程で前記ＶＤＣ制御または前記ＴＣＳ制御の実行条件が解除される場合、前記制御部が、前記制御ホイールシリンダのすべての入口側バルブをオープンし、出口側バルブをクローズするステップを含むことを特徴とする、方法。
【請求項４】
前記圧力ゲインは、
従来型ブレーキシステム（ＣＢＳ）圧力制御時の全体所要液量に対する前記制御ホイールシリンダの所要液量の大きさに基づいて設定されることを特徴とする、請求項３に記載の方法。
【発明の詳細な説明】
【技術分野】
【０００１】
本発明は、車両用回生制動システムの制御方法に関するものであって、より詳細には、ＶＤＣ／ＴＣＳ連携制御時、圧力センサを介して感知されたスプリット圧力に基づいてホイール圧力を直接制御することにより、低圧区間においても精密にホイール圧力を制御し、ＶＤＣ／ＴＣＳ連携制御の終了後、ＣＢＳ圧力制御に切替えるための遅延時間も短縮可能な車両用回生制動システムの制御方法に関するものである。
【背景技術】
【０００２】
最近は、ＣＢＳ（Ｃｏｎｖｅｎｔｉｏｎａｌ  Ｂｒａｋｅ  Ｓｙｓｔｅｍ）にアクティブ制動（Ａｃｔｉｖｅ  Ｂｒａｋｉｎｇ）を行うことができるＥＳＣ（Ｅｌｅｃｔｒｏｎｉｃ  Ｓｔａｂｉｌｉｔｙ  Ｃｏｎｔｒｏｌ）を含むＥＳＣ統合型制動システムが提示されている。
【０００３】
ＥＳＣ統合型回生制動システムは、車両の走行中、車両の直進、旋回および登坂安定性が低下すると、ＡＢＳ（Ａｎｔｉ−ｌｏｃｋ  Ｂｒａｋｅ  Ｓｙｓｔｅｍ）、ＶＤＣ（Ｖｅｈｉｃｌｅ  Ｄｙｎａｍｉｃｓ  Ｃｏｎｔｒｏｌ）およびＴＣＳ（Ｔｒａｃｔｉｏｎ  Ｃｏｎｔｒｏｌ  Ｓｙｓｔｅｍ）機能を動作させて、車両の安定性を確保する。
【０００４】
しかし、従来のＥＳＣ統合型回生制動システムは、ＡＢＳ／ＶＤＣ／ＴＣＳ連携制御時、ホイールの圧力と圧力センサの位置したスプリット圧力とで差が発生するため、圧力センサを活用することができず、入口側バルブと出口側バルブのオープン時間でホイール圧力を推定し、実際のホイール圧と差が発生する。これを補正するために様々な方法が適用されているが、推定されたホイール圧力と実際のホイール圧力との差は持続的に現れざるを得ず、バルブ制御の特性上、低圧制御（５ｂａｒ以下）されない問題があった。
【０００５】
また、既存のＥＳＣシステムとは異なり、ＥＳＣ統合型システムでは、ＡＢＳ／ＶＤＣ／ＴＣＳ連携制御の終了後、ＣＢＳ圧力制御をするためにＣＢＳ切替制御を進行させることにより、切替制御をするための時間が必要である問題があった。
【０００６】
本発明の背景技術は、大韓民国公開特許公報第１０−２００６−０１２１３８８号（２００６年１１月２９日）に開示されている。
【先行技術文献】
【特許文献】
【０００７】
【特許文献１】韓国公開特許第１０−２００６−０１２１３８８号公報
【発明の概要】
【発明が解決しようとする課題】
【０００８】
本発明は、上記の問題を解決するためになされたものであって、その目的は、ＶＤＣ／ＴＣＳ連携制御時、圧力センサを介して感知されたスプリット圧力に基づいてホイール圧力を直接制御することにより、低圧区間においても精密にホイール圧力を制御し、ＶＤＣ／ＴＣＳ連携制御の終了後、ＣＢＳ圧力制御に切替えるための遅延時間も短縮可能な車両用回生制動システムの制御方法を提供することである。
【課題を解決するための手段】
【０００９】
本発明の一側面による車両用回生制動システムの制御方法は、ＡＢＳ連携制御、ＶＤＣ連携制御およびＴＣＳ連携制御のうちのいずれか１つの実行条件を満足すると、各ホイールの目標圧力を生成するステップと、前記ＡＢＳ連携制御に進入するか否かを判断するステップと、判断結果が、ＶＤＣ連携制御またはＴＣＳ連携制御であれば、制御ホイールに対する増減圧が形成されるように、前記制御ホイールの入口側バルブをオープンさせるステップと、前記制御ホイールのホイール圧力が前記制御ホイールの目標圧力を追従するように、モータを制御して、前記制御ホイールに対する増減圧の圧力制御を行うステップとを含むことを特徴とする。
【００１０】
本発明において、前記制御ホイールに対する増減圧の圧力制御を行うステップは、スプリットを介して制御ホイールのホイール圧力を感知するステップと、前記制御ホイールの目標圧力と前記制御ホイールのホイール圧力との圧力差に対応する圧力ゲインを検出し、前記制御ホイールのホイール圧力が前記制御ホイールの目標圧力を追従するように、前記圧力ゲインに応じて前記モータを制御するステップとを含むことを特徴とする。
【００１１】
本発明において、前記圧力ゲインは、ＣＢＳ圧力制御時の全体所要液量に対する前記制御ホイールの所要液量の大きさに基づいて設定されることを特徴とする。
本発明において、前記制御ホイールに対する増減圧が形成されるように、前記制御ホイールの入口側バルブをオープンさせるステップにおいて、前記制御ホイールを除いた残りのホイールの入口側バルブはクローズさせることを特徴とする。
【００１２】
本発明において、前記ＶＤＣ連携制御または前記ＴＣＳ連携制御の実行条件が解除されると、すべてのホイールの入口側バルブをオープンさせ、出口側バルブをクローズさせるステップをさらに含むことを特徴とする。
【００１３】
本発明の他の側面による車両用回生制動システムの制御方法は、各ホイールの目標圧力を生成するステップと、車両の挙動がＶＤＣ連携制御またはＴＣＳ連携制御の実行条件を満足すると、制御ホイールの入口側バルブをオープンさせるステップと、前記制御ホイールに前記目標圧力が形成されるように、モータを制御して、前記制御ホイールに対する増減圧の圧力制御を行うステップとを含むことを特徴とする。
【００１４】
本発明において、前記制御ホイールに対する増減圧の圧力制御を行うステップは、スプリットを介して前記制御ホイールのホイール圧力を感知するステップと、前記制御ホイールのホイール圧力が前記制御ホイールの目標圧力を追従するように、前記モータを制御するステップとを含むことを特徴とする。
【００１５】
前記制御ホイールの目標圧力を追従するように、前記モータを制御するステップにおいて、前記制御ホイールの目標圧力と前記制御ホイールのホイール圧力との圧力差に対応する圧力ゲインを検出し、前記制御ホイールのホイール圧力が前記制御ホイールの目標圧力を追従するように、前記圧力ゲインに応じて前記モータを制御することを特徴とする。
【００１６】
本発明において、前記圧力ゲインは、ＣＢＳ圧力制御時の全体所要液量に対する前記制御ホイールの所要液量の大きさに基づいて設定されることを特徴とする。
本発明において、前記ＶＤＣ連携制御または前記ＴＣＳ連携制御の実行条件が解除されると、各ホイールの入口側バルブをオープンさせ、出口側バルブをクローズさせるステップをさらに含むことを特徴とする。
【発明の効果】
【００１７】
本発明は、ＶＤＣ／ＴＣＳ連携制御時、圧力センサを介して感知されたスプリット圧力に基づいてホイール圧力を直接制御することにより、低圧区間においても精密にホイール圧力を制御し、ＶＤＣ／ＴＣＳ連携制御の終了後、ＣＢＳ圧力制御に切替えるための遅延時間も短縮する。
【図面の簡単な説明】
【００１８】
【図１】本発明の一実施形態に係る車両用回生制動システムの制御装置のブロック構成図である。
【図２】本発明の一実施形態に係る車両用回生制動システムの油圧回路図である。
【図３】本発明の一実施形態に係る車両用回生制動システムの制御方法のフローチャートである。
【図４】本発明の一実施形態に係るＴＣＳ制御時、ホイール圧力が目標圧力を追従することを示す図である。
【発明を実施するための形態】
【００１９】
以下、本発明の一実施形態に係る車両用回生制動システムの制御方法を、添付した図面を参照して詳細に説明する。この過程で、図面に示された線の厚さや構成要素の大きさなどは、説明の明瞭性と便宜上誇張されて示されていることがある。また、後述する用語は、本発明における機能を考慮して定義された用語であって、これは、使用者、運用者の意図または慣例によって異なることがある。そのため、このような用語に対する定義は、本明細書全般にわたる内容に基づいて行われなければならない。
【００２０】
図１は、本発明の一実施形態に係る車両用回生制動システムの制御装置のブロック構成図であり、図２は、本発明の一実施形態に係る車両用回生制動システムの油圧回路図である。
【００２１】
図１と図２を参照すれば、本発明の一実施形態に係る車両用回生制動システムの制御装置は、ペダルストロークセンサ１０と、圧力センサ２０と、入口側バルブ４０と、出口側バルブ５０と、モータ６０とを含む。本実施形態では、ＣＢＳ（Ｃｏｎｖｅｎｔｉｏｎａｌ  Ｂｒａｋｅ  Ｓｙｓｔｅｍ）にアクティブ制動（Ａｃｔｉｖｅ  Ｂｒａｋｉｎｇ）を行うことができるＥＳＣ（Ｅｌｅｃｔｒｏｎｉｃ  Ｓｔａｂｉｌｉｔｙ  Ｃｏｎｔｒｏｌ）を含むＥＳＣ統合型制動システムを例として説明する。
【００２２】
ペダルストロークセンサ１０は、ブレーキペダルのペダルストロークを検出して、制御部３０に入力する。
【００２３】
圧力センサ２０は、図２のＥＳＣ統合型回生制動システムの油圧回路のうち、作動バルブから入口側バルブ４０までの油圧ライン、すなわち、スプリットに設けられ、スプリットに形成されるスプリット圧力を検出する。ここで、スプリット圧力は、ＶＤＣ連携制御およびＴＣＳ連携制御時、ホイール圧力と同一に形成されることから、スプリット圧力とホイール圧力とを同一に理解しなければならない。これは、モータ６０によって直接的にホイール圧力が制御されるからである。これについては後述する。
【００２４】
圧力センサ２０は、図２に示されているように、スプリットに設けられ、感知したスプリット圧力、すなわち、ホイール圧力を制御部３０に入力する。
【００２５】
入口側バルブ４０は、各ホイールＦＬ、ＦＲ、ＲＬ、ＲＲと一対一対応するように設けられ、各ホイールにブレーキ油圧を供給し、出口側バルブ５０は、各ホイールと一対一対応するように設けられ、各ホイールのブレーキ油圧を流出させる。
【００２６】
モータ６０は、制御部３０の制御信号に応じてトルクを発生させてシリンダ７０のピストンを移動させることにより、各ホイールのホイール圧力を増圧または減圧させる。この場合、ホイール圧力は、ＶＤＣ連携制御およびＴＣＳ連携制御時、モータ６０によって直接的に制御される。
【００２７】
制御部３０は、車両の挙動、例えば、ホイール速、スリップ、車速などと、ペダルストロークセンサ１０からペダルストロークとを受信し、これらに基づいてＡＢＳ（Ａｎｔｉ−ｌｏｃｋ  Ｂｒａｋｅ  Ｓｙｓｔｅｍ）連携制御、ＶＤＣ（Ｖｅｈｉｃｌｅ  Ｄｙｎａｍｉｃｓ  Ｃｏｎｔｒｏｌ）連携制御およびＴＣＳ（Ｔｒａｃｔｉｏｎ  Ｃｏｎｔｒｏｌ  Ｓｙｓｔｅｍ）連携制御のうちのいずれか１つの実行条件を満足するか否かを判断する。
【００２８】
判断結果、ＡＢＳ連携制御、ＶＤＣ連携制御およびＴＣＳ連携制御のうちのいずれか１つの実行条件を満足すると、制御部３０は、各ホイールの目標圧力を検出する。
【００２９】
次に、制御部３０は、ＡＢＳ連携制御を行うか、それともＶＤＣ連携制御またはＴＣＳ連携制御を行うかを判断する。
【００３０】
判断結果、ＡＢＳ連携制御を行う場合には、制御部３０は、モータ６０に電流を印加して、スプリットの圧力をホイール圧力制御に生成させる。この時、制御部３０は、ホイールの持続的な増減圧のために、モータ６０に連結されたピストンが定められた変位まで往復運動して、所要の液量を補充する。次に、制御部３０は、各ホイールのホイール圧力が目標圧力を追従するように、各ホイールの入口側バルブ４０をオープンさせ、出口側バルブ５０をクローズさせて、目標圧力に応じてホイール圧力を制御する。
【００３１】
前記のように、ホイール圧力を目標圧力に制御する過程で、制御部３０は、車両の挙動が安定化されると、すべてのホイールの入口側バルブ４０と出口側バルブ５０をオープンさせてＡＢＳ連携制御を終了し、現在形成されてスプリット圧力に応じてピストンの変位を合わせるＣＢＳ（Ｃｏｎｖｅｎｔｉｏｎａｌ  Ｂｒａｋｅ  Ｓｙｓｔｅｍ）切替制御を実施した後、圧力センサ２０によって感知されたスプリット圧力に応じてＣＢＳ圧力制御を行う。
【００３２】
一方、前記判断結果、ＶＤＣ連携制御またはＴＣＳ連携制御であれば、制御ホイールに対する増減圧が形成されるように、各ホイールの入口側バルブ４０および出口側バルブ５０それぞれを制御し、この時、制御ホイールに目標圧力が形成されるように、モータ６０を制御して、制御ホイールに対する増減圧の圧力制御を行う。
【００３３】
制御部３０は、制御ホイールの入口側バルブ４０をオープンさせた状態で、モータ６０の制御だけでホイール圧力を制御する。すなわち、制御部３０は、スプリットに形成されたスプリット圧力（ホイール圧力）を感知し、制御ホイールの目標圧力とホイール圧力との圧力差に対応する圧力ゲインを検出した後、検出された圧力ゲインに応じてモータ６０を制御して、ホイール圧力が制御ホイールの目標圧力を追従するようにする。
【００３４】
ここで、前記のように、スプリット圧力とホイール圧力とは同一であるが、これは、制御ホイールの入口側バルブ４０をオープンさせ、残りの非制御ホイールの入口側バルブ４０をクローズさせると、モータ６０の動作によるピストンの往復運動時、当該油圧が制御ホイールにのみ供給されるからである。
【００３５】
このように、スプリット圧力とホイール圧力とが同一であるので、制御部３０は、スプリットに設けられた圧力センサ２０を介して制御ホイールのホイール圧力を知ることができ、当該制御ホイールのホイール圧力が目標圧力を追従するように、モータ６０を制御することにより、制御ホイールに対するホイール圧力を直接的に制御することができる。
【００３６】
さらに、圧力ゲインは、各ホイールごとに設定されるが、前記目標圧力とホイール圧力との圧力差に応じて事前に設定される。圧力ゲインは、ＣＢＳ圧力制御時の全体所要液量に対する当該制御ホイールの所要液量の大きさに基づいて設定される。
【００３７】
ここで、ＣＢＳの全体圧力ゲインを１００％に設定する場合、前輪ホイールＦＬ、ＦＲの所要液量はＣＢＳの全体所要液量の３５％にそれぞれ設定され、後輪ホイールＲＬ、ＲＲの所要液量はＣＢＳの全体所要液量の１５％にそれぞれ設定される。したがって、前輪ホイールそれぞれの圧力ゲインはＣＢＳの圧力ゲイン×（３５／１００）に設定され、後輪ホイールそれぞれの圧力ゲインはＣＢＳの圧力ゲイン×（１５／１００）にそれぞれ設定される。
【００３８】
すなわち、各ホイールの圧力ゲインは、ＣＢＳの圧力ゲインをそのまま適用せず、ＣＢＳの全体所要液量に対する当該ホイールの所要液量の割合だけ設定されてもよい。
【００３９】
一方、前記のように当該制御ホイールに対するホイール圧力を制御する過程で、ＶＤＣ連携制御またはＴＣＳ連携制御の実行条件を満足しなければ、制御部３０は、すべてのホイールの入口側バルブ４０をオープンさせ、出口側バルブ５０をクローズさせた後、圧力センサ２０によって感知されたスプリット圧力に応じてＣＢＳ圧力制御を行う。この場合、すべてのホイールの出口側バルブ５０がクローズされてリザーバタンクに流出する液量がないため、前記のようなＣＢＳ切替制御を行う必要がなく、その結果、ＣＢＳ切替制御を行う時間を短縮させることができる。
【００４０】
以下、本発明の一実施形態に係る車両用回生制動システムの制御方法を、図３を参照して詳細に説明する。
【００４１】
図３は、本発明の一実施形態に係る車両用回生制動システムの制御方法のフローチャートである。
【００４２】
図３を参照すれば、まず、制御部３０は、車両の挙動、例えば、ホイール速度、スリップ、車両の速度、ＩＧＮなどを受信し、この車両の挙動がＡＢＳ連携制御、ＶＤＣ連携制御およびＴＣＳ連携制御のうちのいずれか１つの実行条件を満足するか否かを判断する（Ｓ１０）。
【００４３】
ステップＳ１０での判断結果、ＡＢＳ連携制御、ＶＤＣ連携制御およびＴＣＳ連携制御のうちのいずれか１つの実行条件を満足すると、制御部３０は、各ホイールの目標圧力を検出する（Ｓ２０）。
【００４４】
各ホイールの目標圧力を検出した後、制御部３０は、ＡＢＳ連携制御を行うか、それともＶＤＣ連携制御またはＴＣＳ連携制御を行うか否かを判断する（Ｓ３０）。
【００４５】
ステップＳ３０での判断結果、ＡＢＳ連携制御を行うと、制御部３０は、モータ６０に電流を印加して、スプリット圧力をホイール圧力に生成させる。この時、制御部３０は、ホイールの持続的な増減圧のために、モータ６０に連結されたピストンが定められた変位まで往復運動して、所要の液量を補充する。
【００４６】
次に、制御部３０は、高圧連携制御および低圧連携制御のうちのいずれか１つを選択し、入口側バルブ４０と出口側バルブ５０のオープン時間で液量を計算して、ホイール圧力を推定する（Ｓ４０）。
【００４７】
参照として、ＡＢＳ連携制御過程では、ホイールに形成された液量がリザーバタンクに流出するので、ホイール圧力が減圧される。その結果、ホイール圧力とスプリット圧力とは同一でないので、制御部３０は、入口側バルブ４０と出口側バルブ５０のオープン時間を用いて液量を計算して、ホイール圧力を推定する。
【００４８】
次に、制御部３０は、推定されたホイール圧力が各ホイールの目標圧力を追従できるように、各ホイールの入口側バルブ４０をオープンさせ、出口側バルブ５０をクローズさせて、ホイール圧力を目標圧力に制御する（Ｓ５０）。
【００４９】
一例として、ホイール圧力を増圧させようとする場合、制御部３０は、当該ホイールの入口側バルブ４０をオープンさせ、出口側バルブ５０をクローズさせる。この時、スプリットに形成された液量が増圧しようとするホイールに伝達されるため、当該ホイール圧力は増圧される。
【００５０】
また、ホイール圧力を維持しようとする場合、制御部３０は、当該ホイールの入口側バルブ４０と出口側バルブ５０をすべてクローズさせる。この時、ホイールに形成された液量が維持されるため、ホイール圧力は維持される。
【００５１】
さらに、ホイール圧力を減圧させようとする場合、制御部３０は、当該ホイールの入口側バルブ４０をクローズさせ、出口側バルブ５０をオープンさせる。この時、ホイールに形成された液量が排出されるため、ホイール圧力は減少する。
【００５２】
この過程で、制御部３０は、車両の挙動が安定化されてＡＢＳ連携制御の実行条件が解除されるか否かを判断し（Ｓ６０）、判断結果、ＡＢＳ連携制御の実行条件が解除されると、すべてのホイールの入口側バルブ４０と出口側バルブ５０をオープンさせてＡＢＳ連携制御を終了する。
【００５３】
一方、前記ＡＢＳ連携制御中には、所要液量に応じてピストンが持続的に往復運動をするため、連携制御の終了後、ピストンの位置が一定でない。
【００５４】
したがって、制御部３０は、現在形成されてスプリット圧力に応じてピストンの変位を合わせるＣＢＳ（Ｃｏｎｖｅｎｔｉｏｎａｌ  Ｂｒａｋｅ  Ｓｙｓｔｅｍ）切替制御を実施（Ｓ７０）した後、圧力センサ２０によって感知されたスプリット圧力に応じてＣＢＳ圧力制御を行う（Ｓ８０）。
【００５５】
一方、前記ステップＳ３０での判断結果、ＶＤＣ連携制御またはＴＣＳ連携制御を行う場合であれば、制御部３０は、制御ホイールの入口側バルブ４０をオープンさせ、出口側バルブ５０はクローズさせる一方、制御ホイールを除いた残りの非制御ホイールの入口側バルブ４０はクローズさせる（Ｓ９０）。これによって、ブレーキ圧が当該制御ホイールにのみ供給され、残りの非制御ホイールには供給されなくなる。
【００５６】
次に、制御部３０は、圧力ゲインを決定する（Ｓ１００）。
【００５７】
この場合、制御部３０は、制御ホイールの目標圧力と圧力センサ２０によって検出されたスプリット圧力（ホイール圧力）との圧力差に応じて圧力ゲインを検出する。
【００５８】
圧力ゲインが検出されると、制御部３０は、この圧力ゲインに応じてモータ６０を制御して、ＶＤＣ連携制御またはＴＣＳ連携制御を行う（Ｓ１１０）。すなわち、制御部３０は、決定された圧力ゲインに対応する電流をモータ６０に供給し、モータ６０は、当該電流によって駆動してピストンを往復運動させることにより、制御ホイールのホイール圧力を直接的に制御する。
【００５９】
この過程で、制御部３０は、車両の挙動によってＶＤＣ連携制御またはＴＣＳ連携制御の実行条件が解除されるか否かを判断（Ｓ１２０）し、判断結果、ＶＤＣ連携制御またはＴＣＳ連携制御の実行条件が解除されると、制御ホイールを含む全体ホイールの入口側バルブ４０をオープンさせ（Ｓ１３０）、圧力センサ２０によって感知されたスプリット圧力に応じてＣＢＳ圧力制御を行う（Ｓ８０）。
【００６０】
図４は、本発明の一実施形態に係るＴＣＳ制御時、ホイール圧力が目標圧力を追従することを示す図である。
【００６１】
図４を参照すれば、制御ホイールのホイール圧力が制御ホイールの目標圧力（ホイールＤｅｍａｎｄ）をほぼ類似して追従しており、これにより、制御ホイールの圧力制御が正確かつ精密に行われることが分かる。
【００６２】
このように、本実施形態は、ＶＤＣ／ＴＣＳ連携制御時、圧力センサ２０を介して感知されたスプリット圧力に基づいてホイール圧力を直接制御することにより、低圧区間においても精密にホイール圧力を制御し、ＶＤＣ／ＴＣＳ連携制御の終了後、ＣＢＳ圧力制御に切替えるための遅延時間も短縮することができる。
【００６３】
本発明は、図面に示された実施形態を参照して説明されたが、これは例示的なものに過ぎず、当該技術の属する技術分野における通常の知識を有する者であれば、これから多様な変形および均等な他の実施形態が可能である点を理解するであろう。したがって、本発明の真の技術的保護範囲は、以下の特許請求の範囲によって定められなければならない。
【符号の説明】
【００６４】
１０：ペダルストロークセンサ
２０：圧力センサ
３０：制御部
４０：入口側バルブ
５０：出口側バルブ
６０：モータ
７０：シリンダ
【図１】
0006339547.tif 000002
【図２】
0006339547.tif 000003
【図３】
0006339547.tif 000004
【図４】
0006339547.tif 000005